(57)【要約】      （修正有）【課題】簡単に交換又は組み合わせ可能なマッサージ用ゴム盤アセンブリ位置決め構造を提供する。【解決手段】マッサージ用ゴム盤アセンブリ位置決め構造は、マッサージ部材１０、連結部材２０及びロック部材３０を備える。マッサージ部材１０には、貫通孔１２を有するバンプ１１が形成される。連結部材２０には、貫通孔１２に対応した固定孔２２が形成される。連結部材２０の固定孔２２の外周縁には、収容空間と連通した複数の位置決め溝２３が環状に形成される。ロック部材３０は、管体３２が延設された頭部３１を有する。管体３２は、マッサージ部材１０端の貫通孔１２と、固定孔２２とに挿通される。管体３２のロック部材３０端には、ネジ３３が螺着されてマッサージ部材１０と連結部材２０とが連結され、位置決め溝２３を利用してマッサージ部材１０をスピーディに組み合わせ又は取り外し可能である。【選択図】図２
0003190140.tif 000002
【実用新案登録請求の範囲】
【請求項１】
マッサージ部材、連結部材及びロック部材を備えたマッサージ用ゴム盤アセンブリ位置決め構造であって、
マッサージ部材には、貫通孔を有するバンプが形成され、
連結部材は、一端に収容空間が形成され、この収容空間には、マッサージ部材のバンプが嵌合され、連結部材には、貫通孔に対応した固定孔が形成され、連結部材の固定孔の外周縁には、収容空間と連通した複数の位置決め溝が環状に形成され、
ロック部材は、管体が延設された頭部を有し、管体は、マッサージ部材端に形成された貫通孔と、固定孔とに挿通され、管体のロック部材端には、ネジが螺着されてマッサージ部材と連結部材とが連結され、位置決め溝を利用してマッサージ部材のスピーディな組合せ又は取り外しが可能なことを特徴とするマッサージ用ゴム盤アセンブリ位置決め構造。
【請求項２】
駆動機をさらに備え、
駆動機は、自転自在の回転軸を有し、
回転軸の末端には、複数の位置決め片が環状に突設され、
位置決め片の外側面には、ストッパが突設され、
駆動機の位置決め片を連結部材の位置決め溝へ挿設させると、ストッパが連結部材の収容空間端に係合され、駆動機とマッサージ部材とが組み合わされることを特徴とする請求項１に記載のマッサージ用ゴム盤アセンブリ位置決め構造。
【請求項３】
駆動機の回転軸は、偏心盤上に接続され、駆動機により偏心盤が回転されると回転軸が周回されることを特徴とする請求項２に記載のマッサージ用ゴム盤アセンブリ位置決め構造。
【請求項４】
連結部材の位置決め溝の外周には、環溝が凹設され、
偏心盤の回転軸の外周には、位置拘束リングが突設され、
位置拘束リングが連結部材の環溝へ挿設され、連結部材により位置決め片が曲がり過ぎることを防ぐことを特徴とする請求項３に記載のマッサージ用ゴム盤アセンブリ位置決め構造。
【請求項５】
連結部材の固定孔は蓋体で覆われ、
蓋体の頂端には、平面部が形成され、
平面部は、ネジが外れることを防ぐために、固定孔の開口部に対して平らに形成し、又は固定孔の開口部より低く形成することを特徴とする請求項１に記載のマッサージ用ゴム盤アセンブリ位置決め構造。
【請求項６】
マッサージ部材のバンプの一端には、凹槽が形成され、
凹槽の拡大端内には、弾性リングが設けられていることを特徴とする請求項１に記載のマッサージ用ゴム盤アセンブリ位置決め構造。
【請求項７】
マッサージ部材の凹槽は、複数の各種サイズを有し、
バンプには、同一規格の連結部材が固定され、スピーディな交換又は組み合わせが可能なことを特徴とする請求項６に記載のマッサージ用ゴム盤アセンブリ位置決め構造。
【請求項８】
弾性リングの表面には、マッサージ効果を高めるために複数の突出部が突設されていることを特徴とする請求項６に記載のマッサージ用ゴム盤アセンブリ位置決め構造。
【請求項９】
マッサージ部材の凹槽端に形成された貫通孔の外周には、凹入槽が形成され、
ロック部材の頭部が凹入槽に収容されて弾性的に押し込まれると、マッサージ部材と連結部材との間に防水効果が得られることを特徴とする請求項６に記載のマッサージ用ゴム盤アセンブリ位置決め構造。
【請求項１０】
連結部材の収容空間の開口内縁には、マッサージ部材に密着されるガイド斜面が形成されていることを特徴とする請求項１に記載のマッサージ用ゴム盤アセンブリ位置決め構造。
【考案の詳細な説明】
【技術分野】
【０００１】
本考案は、マッサージ機構造に関するものであり、さらに詳しくは、簡単に交換又は組み合わせ可能なマッサージ用ゴム盤アセンブリ位置決め構造に関するものである。
【背景技術】
【０００２】
従来の回転式マッサージ機構造は、図１０に示すように、主にマッサージカバー５０に特徴がある。マッサージカバー５０の端口は、内方へ凹むように形成された弧状の唇縁５１を有し、この唇縁５１を介して身体の各部位に弾性当接して広い接触面積を得て、ユーザに快適なマッサージを施していた。
【０００３】
しかし、上述したような従来技術の構造には、以下（１）〜（３）の欠点があった。
【０００４】
（１）マッサージカバー５０には、連動部材６０及び回転盤７０が接続され、回転盤７０には、多辺形孔７１が形成されている。回転部材８０は、モータ８１の伝動ピン８２を回転盤７０の多辺形孔７１に直接挿設してスピーディに組み合わせることができるが、多辺形孔７１だけを利用して連結されているため、多辺形孔７１と伝動ピン８２との隙間が小さすぎる場合、マッサージカバー５０と回転部材８０とが互いに密着過ぎて容易に取り外すことができないという欠点を有する。一方、隙間が大きすぎる場合、マッサージカバー５０が容易に外れてしまうことがあった。
（２）マッサージカバー５０には、段差孔５２が形成され、連動部材６０には、貫通孔６１が形成されており、段差孔５２及び貫通孔６１に係合部６２が挿設されると、係合部６２によりマッサージカバー５０と連動部材６０とが連結され、マッサージカバー５０の回転によりマッサージを行うと、マッサージカバー５０は、連動部材６０に対して横向きの押圧力が発生する。そのため、係合部６２を連動部材６０へ安定的に掛合させることができず、結合強度が不足する虞があった。
（３）回転部材８０は、回転盤７０の多辺形孔７１へモータ８１の伝動ピン８２を挿設するだけで、マッサージカバー５０が回転してマッサージを行う際、マッサージカバー５０が伝動ピン８２に対して横向きの押圧力を発生させるため、回転盤７０又は連動部材６０を損壊させる虞がある上、回転部材８０の内部が磨耗されてしまうことがある。
【考案の概要】
【考案が解決しようとする課題】
【０００５】
従って、本考案の課題は、スピーディに組み合わせることができるにも拘らず、容易に離脱することを防止できるマッサージ用ゴム盤アセンブリ位置決め構造を提供することにある。
【０００６】
本考案のもう一つの課題は、連結部材及びマッサージ部材を有し、連結部材とマッサージ部材とを堅牢に結合して連結部材とマッサージ部材とが離脱することを防止し、安定性を高めることができるマッサージ用ゴム盤アセンブリ位置決め構造を提供することにある。
【課題を解決するための手段】
【０００７】
そこで、本考案者は、上記課題を解決するため鋭意検討を重ねた結果、後述の如きマッサージ用ゴム盤アセンブリの位置決め構造に着目し、本考案に想到するに至った。
【０００８】
すなわち、請求項１に係る発明によれば、本考案によれば、
マッサージ部材、連結部材及びロック部材を備えたマッサージ用ゴム盤アセンブリ位置決め構造であって、
マッサージ部材には、貫通孔を有するバンプが形成され、
連結部材は、一端に収容空間が形成され、この収容空間には、マッサージ部材のバンプが嵌合され、連結部材には、貫通孔に対応した固定孔が形成され、連結部材の固定孔の外周縁には、収容空間と連通した複数の位置決め溝が環状に形成され、
ロック部材は、管体が延設された頭部を有し、管体は、マッサージ部材端に形成された貫通孔と、固定孔とに挿通され、管体のロック部材端には、ネジが螺着されてマッサージ部材と連結部材とが連結され、位置決め溝を利用してマッサージ部材のスピーディな組合せ又は取り外しが可能なことを特徴とするマッサージ用ゴム盤アセンブリ位置決め構造が提供される。
【０００９】
さらに請求項２に係る考案によれば、
駆動機をさらに備え、
駆動機は、自転自在の回転軸を有し、
回転軸の末端には、複数の位置決め片が環状に突設され、
位置決め片の外側面には、ストッパが突設され、
駆動機の位置決め片を連結部材の位置決め溝へ挿設させると、ストッパが連結部材の収容空間端に係合され、駆動機とマッサージ部材とが組み合わされることを特徴とする請求項１に記載のマッサージ用ゴム盤アセンブリ位置決め構が提供される。
【００１０】
請求項３に係る考案によれば、駆動機の回転軸は、偏心盤上に接続され、駆動機により偏心盤が回転されると回転軸が周回されることを特徴とする請求項２に記載のマッサージ用ゴム盤アセンブリ位置決め構造が提供される。
【００１１】
請求項４に係る考案によれば、
連結部材の位置決め溝の外周には、環溝が凹設され、
偏心盤の回転軸の外周には、位置拘束リングが突設され、
位置拘束リングが連結部材の環溝へ挿設され、連結部材により位置決め片が曲がり過ぎることを防ぐことを特徴とする請求項３に記載のマッサージ用ゴム盤アセンブリ位置決め構造が提供される。
【００１２】
請求項５に係る考案によれば、
連結部材の固定孔は蓋体で覆われ、
蓋体の頂端には、平面部が形成され、
平面部は、ネジが外れることを防ぐために、固定孔の開口部に対して平らに形成し、又は固定孔の開口部より低く形成することを特徴とする請求項１に記載のマッサージ用ゴム盤アセンブリ位置決め構造が提供される。
【００１３】
請求項６に係る考案によれば、
マッサージ部材のバンプの一端には、凹槽が形成され、
凹槽の拡大端内には、弾性リングが設けられていることを特徴とする請求項１に記載のマッサージ用ゴム盤アセンブリ位置決め構造が提供される。
【００１４】
請求項７に係る考案によれば、
マッサージ部材の凹槽は、複数の各種サイズを有し、
バンプには、同一規格の連結部材が固定され、スピーディな交換又は組み合わせが可能なことを特徴とする請求項６に記載のマッサージ用ゴム盤アセンブリ位置決め構造が提供される。
【００１５】
請求項８に係る考案によれば、
弾性リングの表面には、マッサージ効果を高めるために複数の突出部が突設されていることを特徴とする請求項６に記載のマッサージ用ゴム盤アセンブリ位置決め構造が提供される。
【００１６】
請求項９に係る考案によれば、
マッサージ部材の凹槽端に形成された貫通孔の外周には、凹入槽が形成され、
ロック部材の頭部が凹入槽に収容されて弾性的に押し込まれると、マッサージ部材と連結部材との間に防水効果が得られることを特徴とする請求項６に記載のマッサージ用ゴム盤アセンブリ位置決め構造が提供される。
【００１７】
請求項１０に係る考案によれば、
連結部材の収容空間の開口内縁には、マッサージ部材に密着されるガイド斜面が形成されていることを特徴とする請求項１に記載のマッサージ用ゴム盤アセンブリ位置決め構造が提供される。
【００１８】
本考案に係るマッサージ用ゴム盤アセンブリ位置決め構造は、マッサージ部材、連結部材及びロック部材からなり、駆動機との組み合せの際に機能する位置決め構造を有するものである。アセンブリのゴム盤は、マッサージ部材を構成し、身体との接触の際に対応容易な弾性体又は弾性材料を有するものを包含するものであり、ゴム材質に限定したものではない。
【考案の効果】
【００１９】
本考案は、上記の通りの構成からなるものであり、マッサージ用ゴム盤アセンブリ位置決め構造を有するマッサージ機を提供することができ、後述の如く、マッサージ用ゴム盤アセンブリと駆動機との組み合せ又は取り外しを簡易な操作によりスピーディーに行うことができる。
また、アセンブリと駆動機を組み合わせた場合には、それらが容易に離脱することを防止することができる。
【図面の簡単な説明】
【００２０】
【図１】図１は、本考案の一実施形態に係るマッサージ用ゴム盤アセンブリ位置決め構造を示す斜視図である。
【図２】図２は、本考案の一実施形態に係るマッサージ用ゴム盤アセンブリ位置決め構造を示す分解斜視図（１）である。
【図３】図３は、本考案の一実施形態に係るマッサージ用ゴム盤アセンブリ位置決め構造を示す分解斜視図（２）である。
【図４】図４は、本考案の一実施形態に係るマッサージ用ゴム盤アセンブリ位置決め構造を示す断面図である。
【図５】図５は、本考案の一実施形態に係るマッサージ用ゴム盤アセンブリ位置決め構造を駆動機に組み合わせる場合の状態を示す分解斜視図である。
【図６】図６は、本考案の一実施形態に係るマッサージ用ゴム盤アセンブリ位置決め構造を駆動機に組み合わせた場合の状態を示す斜視図である。
【図７】図７は、本考案の一実施形態に係るマッサージ用ゴム盤アセンブリ位置決め構造を駆動機に組み合わせたときの状態を示す部分断面図である。
【図８】図８は、本考案の一実施形態に係るマッサージ用ゴム盤アセンブリ位置決め構造を駆動機に組み合わせて使用する場合の状態を示す断面図である。
【図９】図９は、本考案の一実施形態に係るマッサージ用ゴム盤アセンブリ位置決め構造のマッサージ部材を交換するときの状態を示す模式図である。
【図１０】図１０は、従来のマッサージ部材を示す部分断面図である。
【考案を実施するための形態】
【００２１】
以下、本考案についての一実施形態について、図面に従って、具体的に説明する。
図１〜図４を参照する。図１〜図４に示すように、本考案の一実施形態に係るマッサージ用ゴム盤アセンブリ位置決め構造は、少なくともマッサージ部材１０、連結部材２０及びロック部材３０から構成される。
【００２２】
マッサージ部材１０には、バンプ１１が形成される。バンプ１１は、貫通孔１２を有する。マッサージ部材１０は、バンプ１１の一端に凹槽１３が形成され、凹槽１３の拡大端内には、弾性リング１４が設けられ、マッサージ部材１０の凹槽１３端の貫通孔１２外周には、凹入槽１３１が形成されている。
【００２３】
連結部材２０の一端には、収容空間２１が形成されている。連結部材２０の収容空間２１には、マッサージ部材１０のバンプ１１が嵌合され、連結部材２０には、貫通孔１２に対応した固定孔２２が形成されている。連結部材２０の固定孔２２の外周縁には、収容空間２１と連通した複数の位置決め溝２３が環状に形成されている。連結部材２０の収容空間２１の開口内縁には、マッサージ部材１０に密着されるガイド斜面２１１が形成されている。
【００２４】
ロック部材３０は、管体３２が延設されている頭部３１を有する。ロック部材３０の管体３２は、マッサージ部材１０端が貫通孔１２及び固定孔２２に挿通されている。ロック部材３０の頭部３１がマッサージ部材１０の凹入槽１３１に収容されて弾性的に押し込まれると、マッサージ部材１０とロック部材３０との間で防水効果を得ることができる。管体３２のロック部材３０の端部には、ネジ３３が螺着され、ネジ３３によりマッサージ部材１０とロック部材３０とが連結され、ロック部材３０の固定孔２２が蓋体３４により覆われる。蓋体３４の頂端には、平面部３４１が形成されている。平面部３４１を固定孔２２の開口部に対して平らに形成したり固定孔２２の開口部より低く形成したりすることにより、ネジ３３が外れることを防ぐ。図９に示すように、マッサージ部材１０の凹槽１３には様々なサイズがあるが、バンプ１１の箇所には同一規格の連結部材２０が固定される。この構成によりスピーディに交換又は組み合わせができるようになり、同一規格の連結部材２０により生産のコストを減らすことができる上、弾性リング１４の表面には、マッサージ効果を高めるために複数の突出部１４１が突設されていてもよい。
【００２５】
図２〜図４を参照する。本考案の一実施形態に係るマッサージ用ゴム盤アセンブリ位置決め構造は、連結部材２０の収容空間２１にマッサージ部材１０のバンプ１１が嵌合され、貫通孔１２に対応した固定孔２２が連結部材２０に形成され、連結部材２０のガイド斜面２１１には、マッサージ部材１０の凹槽１３が当接され、凹槽１３の端部に形成された貫通孔１２及び固定孔２２にロック部材３０の管体３２が挿通され、ロック部材３０の頭部３１がマッサージ部材１０の凹入槽１３１に強く挿入された後、ネジ３３を連結部材２０の端部から固定孔２２に螺入し、ネジ３３と管体３２とを螺着してマッサージ部材１０と連結部材２０とを挟持して固定し、最終的に蓋体３４を連結部材２０の固定孔２２に圧入してその構造の組立てを完了する。上述の構造により、連結部材２０には、位置決め溝２３を介して異なるサイズ及びデザインのマッサージ部材１０をスピーディに組み合わせ又は取り外しができるため実用的である。
【００２６】
図５〜図８を参照する。図５〜図８に示すように、本考案の一実施形態に係るマッサージ用ゴム盤アセンブリ位置決め構造を実際に使用する際、駆動機４０を用いる。駆動機４０は、自転自在の回転軸４１を有する。回転軸４１の末端には、複数の位置決め片４２が環状に突設されている。位置決め片４２の外側面には、ストッパ４２１が突設されている。駆動機４０の位置決め片４２を連結部材２０の位置決め溝２３へ挿設させると、ストッパ４２１が連結部材２０の収容空間２１端と係合され、マッサージ部材１０を駆動機４０にスピーディに組み合わせることができる。マッサージ部材１０を交換するときは、連結部材２０を引っ張ると、位置決め片４２が弾性的に引き込まれてマッサージ部材１０を簡単に外すことができるように、連結部材２０の位置決め溝２３の外周には環溝２４が凹設されている。偏心盤４３の回転軸４１の外周には、位置拘束リング４４が突設され、位置拘束リング４４が連結部材２０の環溝２４へ挿設され、連結部材２０により位置決め片４２が曲がり過ぎることを防ぐことができる。駆動機４０の回転軸４１は、偏心盤４３上に接続され、駆動機４０により偏心盤４３が回転されると、回転軸４１が周回してマッサージ効果を発生させる。マッサージ部材１０の弾性リング１４によりユーザの身体各部位を覆い、弾性リング１４の弾性を利用して押圧し、マッサージ部材１０が身体部位に応じて変化して面状接触し、これによりマッサージの際に痛みが発生して不快に感じることを防ぐことができる。駆動機４０を起動させると、回転軸４１と偏心盤４３とが偏心回転し、回転軸４１の位置決め片４２により連結部材２０の位置決め溝２３が連動され、マッサージ部材１０の凹槽１３及び弾性リング１４によりユーザに快適なマッサージを行って血液循環を促進させることができる。本考案のもう一つの使用効果は、防水効果を発生させ、マッサージ部材１０と連結部材２０との間をロック部材３０により固定し、ロック部材３０は、頭部３１を介してマッサージ部材１０の凹入槽１３１に強く挿入され、凹槽１３の弾性によりマッサージ部材１０とロック部材３０との間に隔水効果が発生し、マッサージ部材１０により身体へ精油を塗布して使用することができ、連結部材２０又は駆動機４０に精油が染入る心配をする必要がなく、マッサージ部材１０の利便性を向上させることができる。
【００２７】
上述したことから分かるように、本考案のマッサージ用ゴム盤アセンブリ位置決め構造は、以下（１）〜（３）の長所を有する。
【００２８】
（１）連結部材２０の一端に収容空間２１が形成され、連結部材２０の収容空間２１にマッサージ部材１０のバンプ１１が嵌合され、連結部材２０の貫通孔１２に対応するように形成された固定孔２２を有し、連結部材２０の固定孔２２の外周縁には、収容空間２１に連通した複数の位置決め溝２３が環状に形成され、位置決め溝２３を介して駆動機４０の位置決め片４２に挿設され、ストッパ４２１を連結部材２０の収容空間２１端へ係合させ、駆動機４０とマッサージ部材１０とをスピーディに組み合わせることができるにも拘らず、容易に離脱することを防止することができる。
（２）連結部材２０の収容空間２１にマッサージ部材１０のバンプ１１を嵌合させると、ロック部材３０の管体３２が貫通孔１２及び固定孔２２に挿設され、ロック部材３０の頭部３１をマッサージ部材１０の凹入槽１３１に強く押し込んでからネジ３３を固定孔２２端で管体３２に螺着させると、マッサージ部材１０と連結部材２０とが堅牢に結合されるため、連結部材２０とマッサージ部材１０との離脱を防止し、安定的に使用することができる。
（３）連結部材２０の位置決め溝２３の外周には、環溝２４が凹設され、偏心盤４３の回転軸４１の外周には位置拘束リング４４が突設され、位置拘束リング４４が連結部材２０の環溝２４に挿設されることにより、連結部材２０により位置決め片４２が曲がり過ぎることを防いで連結部材２０及び位置決め片４２を保護することができる。
【符号の説明】
【００２９】
１０  マッサージ部材
１１  バンプ
１２  貫通孔
１３  凹槽
１４  弾性リング
２０  連結部材
２１  収容空間
２２  固定孔
２３  位置決め溝
２４  環溝
３０  ロック部材
３１  頭部
３２  管体
３３  ネジ
３４  蓋体
４０  駆動機
４１  回転軸
４２  位置決め片
４３  偏心盤
４４  位置拘束リング
５０  マッサージカバー
５１  唇縁
５２  段差孔
６０  連動部材
６１  貫通孔
６２  係合部
７０  回転盤
７１  多辺形孔
８０  回転部材
８１  モータ
８２  伝動ピン
１３１  凹入槽
１４１  突出部
２１１  ガイド斜面
３４１  平面部
４２１  ストッパ
【図１】
0003190140.tif 000003
【図２】
0003190140.tif 000004
【図３】
0003190140.tif 000005
【図４】
0003190140.tif 000006
【図５】
0003190140.tif 000007
【図６】
0003190140.tif 000008
【図７】
0003190140.tif 000009
【図８】
0003190140.tif 000010
【図９】
0003190140.tif 000011
【図１０】
0003190140.tif 000012